(57)【要約】【課題】  常時、水が溜まって不快感を与えたり、収納スペースを狭めたりすることがなく、また、箱や布団等の荷物によって吸湿消臭シートが覆い隠された状態であっても、湿気や風の通り道（通気性）を確保することができ、調湿消臭効果を発揮でき、しかも、吸湿消臭シートの取り外しおよび取り付け作業をも簡単にできる、収納部調湿ユニットを提供する。【解決手段】  梯子状に配設した複数本の芯材２の表裏面に、表面板３と裏面板４を張設して、閉塞されていないフラッシュ構造を有するユニット本体を形成し、該ユニット本体の芯材２に上下方向に貫通する通気路２１を設けるとともに、表面板３には通気孔３１を設け、かつ、裏面板４の下端縁部と両側端縁部を表面板３より延設し、さらに、芯材２と表面板３と裏面板４にて形成された側端開口部５から芯材２間に吸湿消臭シート６を挿入する。【選択図】図１
2006328723.tif 000002
【特許請求の範囲】
【請求項１】
梯子状に配設した複数本の芯材の表裏面に、表面板と裏面板を張設して、閉塞されていないフラッシュ構造を有するユニット本体を形成し、該ユニット本体の芯材に上下方向に貫通する通気路を設けるとともに、表面板には通気孔を設け、かつ、裏面板の下端縁部と両側端縁部を表面板より延設し、さらに、芯材と表面板と裏面板にて形成された側端開口部から芯材間に吸湿消臭シートを挿入してなることを特徴とする収納部調湿ユニット。
【請求項２】
通気路を凹溝にて設けてなることを特徴とする請求項１記載の収納部調湿ユニット。
【請求項３】
凹溝が、芯材の表裏面に交互に配設されてなることを特徴とする請求項２記載の収納部調湿ユニット。
【請求項４】
凹溝が、芯材の表面または裏面の一方のみに配設され、凹溝が配設されている面を、交互に表面板側または裏面板側に向けて配設してなることを特徴とする請求項２記載の収納部調湿ユニット。
【請求項５】
表面板の側端縁部に切り欠け部が設けられていることを特徴とする請求項１ないし４いずれかに記載の収納部調湿ユニット。
【発明の詳細な説明】
【技術分野】
【０００１】
本願発明は、押入れや洋服ダンス等の収納部に設置する収納部調湿ユニットに関するものである。
【背景技術】
【０００２】
従来、押入れや洋服ダンス等の収納部内の調湿や除湿の手段として、たとえば、衣服や布団等の目的物が載置可能な基台と、木炭または竹炭を収容した引出し容器とを備え、この引出し容器を基台下に収納した簀の子が提案されている（特許文献１参照）。この簀の子は、除湿効果を有するといわれている木炭または竹炭を利用することで、収納部内の調湿や除湿ができるとしている。
【０００３】
また、たとえば、図６の例のような除湿手段も知られており、この場合、収納部である押入れ１０１の壁に、吸湿機能と消臭機能とを有する吸湿消臭シート１０２を取り付けるだけで、押入れ１０１内の箱や布団等の荷物１０３の収納スペースを狭めることなく、押入れ１０１内の湿気を吸収（除湿）、消臭できるとしている。
【特許文献１】実用新案第３０６１０８０号
【発明の開示】
【発明が解決しようとする課題】
【０００４】
しかしながら、上記特許文献１記載のような簀の子は、常時、引出し容器内に水を溜めている状態になるので、汚い、不衛生であるとの不快感を与え、また、簀の子を構成する基台や引出し容器が大きくなり易く、収納部内の収納スペースが狭くなるという問題があった。
【０００５】
また、図６の例のような除湿手段では、収納部である押入れ１０１の収納スペースを狭めることはないが、箱や布団等の荷物１０３を収納した際、これら荷物１０３が壁に取り付けた吸湿消臭シート１０２を覆い隠してしまい、湿気や風の通り道（通気性）がなくなり、湿気や臭いの吸収を効率よく行うことができなくなるという問題があった。また、このように荷物１０３があると、吸湿消臭シート１０２の天日干しや取替え等のメンテナンス時に、吸湿消臭シート１０２を壁から取り外す際または取り付ける際には、これら荷物１０３をどかす必要があり、取り外しおよび取り付け作業が面倒であった。
【０００６】
そこで、本願発明は、上記従来の問題点を解消するためになされたものであり、常時、水が溜まって不快感を与えたり、収納スペースを狭めたりすることがなく、また、箱や布団等の荷物によって吸湿消臭シートが覆い隠された状態であっても、湿気や風の通り道（通気性）を確保することができ、調湿消臭効果を発揮でき、しかも、吸湿消臭シートの取り外しおよび取り付け作業（挿入および摘出作業）をも簡単にできる、新しい収納部調湿ユニットを提供することを課題とするものである。
【課題を解決するための手段】
【０００７】
本願発明は、上記の課題を解決するものとして、第１には、梯子状に配設した複数本の芯材の表裏面に、表面板と裏面板を張設して、閉塞されていないフラッシュ構造を有するユニット本体を形成し、該ユニット本体の芯材に上下方向に貫通する通気路を設けるとともに、表面板には通気孔を設け、かつ、裏面板の下端縁部と両側端縁部を表面板より延設し、さらに、芯材と表面板と裏面板にて形成された側端開口部から芯材間に吸湿消臭シートを挿入してなることを特徴とする。
【０００８】
また、第２には、通気路を凹溝にて設けてなることを特徴とし、第３には、凹溝が、芯材の表裏面に交互に配設されてなることを特徴とし、第４には、凹溝が、芯材の表面または裏面の一方のみに配設され、凹溝が配設されている面を、交互に表面板側または裏面板側に向けて配設してなることを特徴とする。
【０００９】
そして、第５には、表面板の側端縁部に、切り欠け部が設けられていることを特徴とする。
【発明の効果】
【００１０】
第１の発明によれば、常時、水が溜まって不快感を与えたり、収納スペースを狭めたりすることがなく、また、箱や布団等の荷物によって吸湿消臭シートが覆い隠された状態であっても、湿気や風の通り道（通気性）を確保することができ、調湿消臭効果を発揮でき、しかも、吸湿消臭シートの取り外しおよび取り付け作業（摘出および挿入作業）をも簡単にできる。
【００１１】
第２から第４の発明によれば、上記第１の発明の効果に加え、さらに効率のよい湿気や風の通り道（通気性）を、より確実に確保することができ、芯材の反りも防止することができる。
【００１２】
第５の発明によれば、上記第１から第４の発明の効果に加え、吸湿消臭シートの取り外しおよび取り付け作業がより簡単にできる。
【発明を実施するための最良の形態】
【００１３】
本願発明は、上記のとおりの特徴をもつものであるが、以下に、添付した図面に沿って、本願発明の実施形態について詳細かつ具体的に説明する。
【００１４】
図１は、本願発明の収納部調湿ユニットの一実施形態を例示した全体斜視図であり、（A）は吸湿消臭シートを挿入する状態を、（B）は吸湿消臭シートの挿入完了直前の状態を示している。図２は、本願発明の収納部調湿ユニットにおける、吸湿消臭シートの挿入の様子を例示した平面図である。
【００１５】
まず、図１および図２に沿って、本願発明の収納部調湿ユニット１を説明する。本願発明の収納部調湿ユニット１は、梯子状に配設した複数本の芯材２の表裏面に、合板等よりなる表面板３と裏面板４を貼着して張設して、完全に閉塞されていないフラッシュ構造を有するユニット本体を形成してなるものである。
【００１６】
また、このユニット本体においては、効率のよい除湿消臭のための湿気や風の通り道である通気性を確保するため、芯材２に切り欠け加工、孔あけ加工等を行って、上下方向に貫通する通気路２１を少なくとも１つ以上設けている。なお、この通気路２１は、芯材２の強度を損なうことなく、かつ、効率のよい通気性の確保ができるのであれば、その数は制限されるものではない。
【００１７】
また、表面板３には、表面板３を貫通している通気孔３１を少なくとも１つ以上設けている。通気孔３１の位置は、吸湿消臭シート６の挿入位置に沿って複数列にわたって設けることが好ましく、通気孔３１のサイズは、通気性を確保できるものであれば、特に制限されるものではないが、通常は径５ｍｍ〜１０ｍｍ程度であり、中でも径８ｍｍ程度が好ましい。
【００１８】
さらに、裏面板４の寸法は、収納部調湿ユニット１の下端縁部と両側端縁部において、表面板３のそれよりも大きく形成している。すなわち、裏面板４の下端縁部と両側端縁部を表面板３より延設している。このとき、収納部調湿ユニット１の両側端縁部は、収納部７の前部側または後部側に位置している。
【００１９】
そして、除湿消臭効果を有する吸湿消臭シート６を芯材２間に挿入するために、芯材２と表面板３と裏面板４にて側端開口部５を形成している。矢印で示したように、この側端開口部５から芯材２間に吸湿消臭シート６を挿入している。このとき、吸湿消臭シート６は裏面板４に当てながら挿入することでより簡単にできる。側端開口部５は、押入れや洋服ダンス等の収納部７の前部側、つまり、布団や箱等の荷物（図示せず）の出し入れ口側に形成することで、吸湿消臭シート６の取り外しおよび取り付け作業（摘出および挿入作業）を簡単に行うことができる。なお、収納部調湿ユニット１の収納部７後部側における側端縁部は、通気性の確保のため、収納部７前部側の側端縁部と同様に開口していることが好ましく、その際には吸湿消臭シート６の過剰な挿入を防止するため、収納部７後部側の側端縁部には、突起等のストッパー（図示せず）を設けてもよい。
【００２０】
このような構成を有する本願発明の収納部調湿ユニット１によって、箱や布団等の荷物（図示せず）によって吸湿消臭シート６が覆い隠された状態であっても、湿気や風の通り道（通気性）を確保することができ、しかも、吸湿消臭シート６の取り外しおよび取り付け作業（摘出および挿入作業）をも簡単にできる。
【００２１】
また、本願発明の収納部調湿ユニット１における芯材２に設けられている通気路２１は、凹溝にて設けてもよい。凹溝は、芯材２の表裏面に交互に配設されていることで、より確実に、湿気や風の通り道（通気性）を確保することができ、調湿消臭効果も発揮することができ、しかも、芯材２の反りも防止することができる。
【００２２】
図３は、本願発明の収納部調湿ユニットを設置した状態を例示した収納部全体斜視図と、通気の様子を例示した要部拡大図である。また、図４は、本願発明の収納部調湿ユニットの通気の様子を例示した全体斜視図である。
【００２３】
図３および図４に沿って、本願発明の収納部調湿ユニット１における通気について説明する。なお、図３および図４の矢印は、通気の流れを例示している。図３に例示したように、通常、収納部調湿ユニット１は、収納部７の側壁に設置している。このとき、収納部調湿ユニット１を構成する裏面板４の寸法は、上記のとおり、表面板３よりも大きいため、収納部調湿ユニット１の下端部においても隙間を確保することができ、この隙間によって収納部調湿ユニット１の下部における通気性も確保することができる。
【００２４】
また、図４に例示したように、収納部７の前部側と後部側の収納部調湿ユニット１の両側端縁部においても同様に、裏面板４の寸法は表面板３よりも大きいため、隙間ができ、収納部調湿ユニット１全体において、通気性を向上させることができ、しかも、図２の例のように、収納部調湿ユニット１を設置した際に、収納部７の構造柱７１等がきても、吸湿消臭シート６の挿入作業が簡単にできる。
【００２５】
したがって、収納部調湿ユニット１が荷物（図示せず）等によって覆い隠されても、極めて効率のよい通気性を確保できるため、収納部調湿ユニット１に挿入されて取り付けられた吸湿消臭シート６による、除湿効果（調湿効果）および消臭効果を充分に発揮させることができ、収納部７内の環境を良好することができる。
【００２６】
図５は、本願発明の収納部調湿ユニットの別の実施形態を例示した全体斜視図である。
【００２７】
図５に例示したように、本願発明の収納部調湿ユニット１における芯材２の通気路２１を凹溝にて設け、かつ、凹溝は、芯材２の表面または裏面の一方のみに配設してもよい。この場合、凹溝が配設されている面を、交互に表面板３側または裏面板４側に向けて配設する。このように芯材２を配設することで、効率のよい通気性を確保することができ、しかも、芯材２の反りも防止することができる。
【００２８】
そして、本願発明の収納部調湿ユニット１は、表面板３の側端縁部、具体的には、収納部７前部側の側端縁部には、少なくとも１つ以上の切り欠け部３２が、梯子状に配設した芯材２と芯材２との間に位置するように設けられている。この切り欠け部３２の加工は、特に制限されるものではないが、たとえば、図１、図４および図５に例示したようなアール加工としてもよい。このように切り欠け部３２を設けることで、吸湿消臭シート６を掴み易くなり、挿入（取り付け）および摘出（取り外し）の作業をより簡単に行うことができる。また、たとえば、図１や図５の例のように、吸湿消臭シート６の吸湿状況を視認できるように湿気センサー６１を吸湿消臭シート６に設けている場合、切り欠け部３２を介して、この湿気センサー６１を簡単に確認することもできる。
【００２９】
本願発明の収納部調湿ユニット１は、以上のような構成とすることで、表面板３の通気孔３１、芯材２の凹溝２１、裏面板４の寸法を表面板３よりも大きくすることで設けた隙間によって、収納部調湿ユニット１の上下方向、奥行き方向等、その全体に亘って通気性を確保することができ、調湿および消臭の効果を充分に発揮させることができる。
【００３０】
もちろん、本願発明の収納部調湿ユニットは、以上の例示によって限定されるものではなく、その細部において様々な態様とすることが可能であることはいうまでもない。たとえば、収納部調湿ユニットを構成する芯材や表面材、裏面材等の材質としては、木質材はもちろん、樹脂材等も使用することができる。また、吸湿消臭シートは、繊維（合成繊維でも、天然繊維でもよい）に吸湿樹脂加工および消臭剤塗布加工等を施して作成してもよいし、吸湿および消臭効果を有するといわれている木炭や竹炭等のような天然素材も使用することができる。さらに、天日干し等をすることで再利用可能な吸湿消臭シートも使用することもできる。
【図面の簡単な説明】
【００３１】
【図１】本願発明の収納部調湿ユニットの一実施形態を例示した全体斜視図であり、（A）は吸湿消臭シートを挿入する状態を、(B)は吸湿消臭シートの挿入完了直前の状態を示している。
【図２】本願発明の収納部調湿ユニットにおける、吸湿消臭シートの挿入の様子を例示した平面図である。
【図３】本願発明の収納部調湿ユニットを設置した状態を例示した収納部全体斜視図と、通気の様子を例示した要部拡大図である。
【図４】本願発明の収納部調湿ユニットの通気の様子を例示した全体斜視図である。
【図５】本願発明の収納部調湿ユニットの別の実施形態を例示した全体斜視図である。
【図６】従来の除湿手段を収納部とともに例示した全体斜視図である。
【符号の説明】
【００３２】
１  収納部調湿ユニット
２  芯材
２１  通気路
３  表面板
３１  通気孔
３２  切り欠け部
４  裏面板
５  側端開口部
６  吸湿消臭シート
６１  湿気センサー
７  収納部
７１  構造柱
１０１  押入れ
１０２  吸湿消臭シート
１０３  荷物
【図１】
2006328723.tif 000003
【図３】
2006328723.tif 000004
【図４】
2006328723.tif 000005
【図５】
2006328723.tif 000006
【図２】
2006328723.tif 000007
【図６】
2006328723.tif 000008